(57)【要約】      （修正有）【課題】振動を検知して非常用などの照明器具やランプ等を点灯させる感振点灯スイッチを提供する。【解決手段】頂部２０１と球収容部２０２を有し前記頂部２０１と前記球収容部２０２間にカーブして登り傾斜を付けた傾斜カーブ部２０３を設けた球登り走行路２００を形成すると共に、頂部３０１と球収容部３０２を有し前記頂部３０１と球収容部３０２間に降り傾斜を付けた玉落ち込み路３００を形成する。前記球登り走行路２００と玉落ち込み路３００は各頂部２０１、３０１を連通して磁性玉４００を転動走行自在に設け、玉落ち込み路３００の球収容部３０２に磁性玉４００の磁着保持用の永久磁石５００と照明器具の点灯用スイッチ６００を設けた。【選択図】図２
0003180420.tif 000002
【実用新案登録請求の範囲】
【請求項１】
頂部（２０１）と球収容部（２０２）を有し前記頂部（２０１）と前記球収容部（２０２）間にカーブして登り傾斜を付けた傾斜カーブ部（２０３）を設けた球登り走行路（２００）を形成すると共に、頂部（３０１）と球収容部（３０２）を有し前記頂部（３０１）と球収容部（３０２）間に降り傾斜を付けた玉落ち込み路（３００）を形成し、前記球登り走行路（２００）と玉落ち込み路（３００）は各頂部（２０１）（３０１）を連通して磁性玉（４００）を転動走行自在に設け、玉落ち込み路（３００）の球収容部（３０２）に磁性玉（４００）の磁着保持用の永久磁石（５００）と照明器具の点灯用スイッチ（６００）を設けたことを特徴とする感振点灯スイッチ。
【請求項２】
前記点灯用スイッチ（６００）をＬＥＤランプ（３）などの照明灯付設の壁掛け時計（Ｔ）に設けたことを特徴とする請求項１に記載の感振点灯スイッチ。
【考案の詳細な説明】
【技術分野】
【０００１】  本考案は、振動を検知して非常用などの照明器具やランプ等を点灯させる感振点灯スイッチに関するものである。
【背景技術】
【０００２】  地震大国の日本では、地震に対して日頃からの準備が必須である。
例えば、家具類テレビ等の各種転倒防止機構の備え、非常用の情報収集用ラジオ、懐中電灯、非常食、毛布等々挙げると数多くのアイテムが想定されるが万全とはいえないのが現状である。
しかも地震の発生が夜間である場合、昼間に比し過去の実情から見て、数倍の死傷者を出している。【０００３】  これらの大きな原因は、地震発生の際に、室内消灯中であったり又は停電により暗い室内での行動が妨げられて、
１）、階段からの落下事故、
２）、家屋内で家具類その他の日用物品の転倒や移動又は落下による衝突事故、
３）、また通路が家具類等の転倒・移動・落下により障害物となり又暗いため逃げ口の方向が掴めないことも重なり戸外への逃げ遅れによる二次災害（転倒圧死、焼死）などがある。【０００４】  地震発生時の室内消灯中又は停電に備え懐中電灯を常備することが、自治体等の広報で示されているが、夜間に地震が一旦発生して室内消灯中や停電すると混乱し、折角準備した懐中電灯等も探しきれずに上記した各種の事故に遭遇する危険度が増すこととなる。
勿論、懐中電灯だけでなく上記した他の必須アイテムも、暗い中で探し出すことは極めて困難である。
【考案の概要】
【考案が解決しようとする課題】
【０００５】  このため、夜間に地震が一旦発生して室内消灯中や停電しても、地震に反応して直ちに非常灯が灯れば混乱を抑止でき、準備した前記必須アイテムも迅速容易に取り出すことが出来、更に避難行動も冷静沈着に成し得て、前述の各種事故は半減すると思慮する。
本考案は、夜間に地震が一旦発生して室内消灯又は地震により停電しても地震に反応して非常用の照明器具類やランプ等を点灯させる感振点灯スイッチを提供する。
【課題を解決するための手段】
【０００６】  本考案は上記の課題を満足する感振点灯スイッチでありその特徴とするところは図１〜図３に示すように、次の（１）の通りである。
（１）、頂部（２０１）と球収容部（２０２）を有し前記頂部（２０１）と前記球収容部（２０２）間にカーブして登り傾斜を付けた傾斜カーブ部（２０３）を設けた球登り走行路（２００）を形成すると共に、頂部（３０１）と球収容部（３０２）を有し前記頂部（３０１）と球収容部（３０２）間に降り傾斜を付けた玉落ち込み路（３００）を形成し、前記球登り走行路（２００）と玉落ち込み路（３００）は各頂部（２０１）（３０１）を連通して磁性玉（４００）を転動走行自在に設け、玉落ち込み路（３００）の球収容部（３０２）に磁性玉（４００）の磁着保持用の永久磁石（５００）と照明器具の点灯用スイッチ（６００）を設けたことを特徴とする感振点灯スイッチ。
【考案の効果】
【０００７】  本考案の感振点灯スイッチは、夜間に地震が一旦発生しても室内消灯中や停電しても、直ちに地震の所定以上の振動を利用して磁性玉を前記球登り走行路と前記玉落ち込み路の点灯用スイッチまで転動走行させてスイッチＯＮ作動させ、非常灯等の照明器具類やランプ等を点灯作動させるものである。
これによる照明により暗闇での混乱を抑止し、準備した前記必須アイテムを迅速容易に取り出すことを可能にし、更に避難路の確認と避難行動も冷静沈着に成し得て、前述の各種事故を著しく低減させるなどの優れた作用効果を呈する。【０００８】例えば、白色文字盤にＬＥＤランプを配置した壁掛け時計に本発明の感振点灯スイッチを用いることにより、装飾照明時計に変身し、以下の優れた作用効果を得ることができる。
（１）、壁掛け時計の場合は、室内上部に設置されているため光を遮断する障害物が無く照明効果が優れている。
（２）、常時定位置にある。（混乱でも非難灯の役目をする）。
（３）、時計は日常必需品であり電池時計では駆動用電池を照明電源に兼用できるためＬＥＤランプと小型な本考案の感振点灯スイッチを配置するのみで簡単にしかも安価に製造可能である。
（４）、地震発生（震度４以上）のみ作動するので電池の消耗が極小ですむ。
（５）、電源が電池でありランプはＬＥＤランプであるため火災を発生することが殆んど無い。
（６）、文字盤は大半が白色系であるため、光の反射効果が確実に得られ照明効能を高める。
（７）、作動後の復帰作業が簡単である。
（８）、設置、復帰、管理が容易である。
（９）、インテリアとしての利用価値。（非常用の照明ではあるが普段はそれとは気付かないモダンなデザインにして玄関や非常口などにディスプレイ時計としての活用）
（１０）、構造が簡単である。
などの優れた効果を呈するものである。
【図面の簡単な説明】
【０００９】
【図１】本考案の感振点灯スイッチを電池式の壁掛け時計に適用した例を示す正面図（１）と裏カバーを外した状態の裏面図（２）である。
【図２】本考案の感振点灯スイッチの実施例で図３の矢視Ａ−Ａからの平断面説明図である。
【図３】図２の矢視Ｂ−Ｂからの縦断面説明図であり地震のない平常時の状態を示す。
【図４】図３の状態から地震が発生した際に磁性玉が振動により転動走行して点灯用スイッチ部に移動し感振点灯作動している状態を示す。
【考案を実施するための形態】
【００１０】本考案の感振点灯スイッチの設置態様は、次の例が挙げられる。
１）、白色文字盤にＬＥＤランプを配置した壁掛け時計。
２）、非常口、非常用アイテム収容部の近傍、部屋、トイレなどの天井や壁に設置のＬＥＤランプ収容非常灯等であるが平常時はディスプレイとしてのデザインで楽しむものでよい。
【００１１】感振点灯スイッチは、躯体１００を軽量で加工性の簡易な樹脂製、非磁性金属製などで形成することが好ましい。
【００１２】磁性玉は、鉄などの磁石に反応する磁性金属であればよい。表面は金、銀などの導電性、耐酸化性の良い金属メッキ処理等を施したものが好ましい。
【００１３】  点灯用スイッチは金属製の板バネ式で磁性玉を挟んで通電する挟みスイッチ、磁性玉が到来するとＯＮ作動する近接スイッチかフォトスイッチ等の公知の電気スイッチでよい。金属製の板バネ式は、これも表面は低電圧の乾電池使用および磁性玉との接触があるため金、銀などの導電性、耐酸化性の良い金属メッキ処理等を施したものが好ましい。
本考案を実施するための一形態を次の実施例により詳細に説明する。
【実施例】
【００１４】図１（１）と（２）において、感振点灯スイッチ１は、電池式の壁掛け照明時計Ｔに採用してインテリア用として或いはディスプレ用としての付加価値を持たせた例である。
照明時計Ｔは、正面の文字盤２に部屋の広さに応じた数とルックスのＬＥＤランプ３や豆電球等の照明ランプを文字等に沿って配列し、或いは中央部や枠の外側円周に設けて、このＬＥＤランプ３の非常点灯用に感振点灯スイッチ１と時計本体の駆動機構用と兼用又は単独照明用の電池４が内臓されている。【００１５】図２〜図３において、感振点灯スイッチ１は、躯体１００を樹脂製で、取り扱い易い直方体状に形成し、内部に前記の球登り走行路２００、玉落ち込み路３００を形成する。【００１６】球登り走行路２００は、頂部２０１と球収容部２０２と傾斜カーブ部２０３を有し、頂部２０１と球収容部２０２間にカーブした登り傾斜を付けた傾斜カーブ部２０３がトンネル状に形成してある。【００１７】玉落ち込み路３００は、頂部３０１と球収容部３０２を有し頂部３０１と球収容部３０２間に降り傾斜を付けたトンネル状に形成する。【００１８】前記球登り走行路２００と前記玉落ち込み路３００は、各頂部２０１と３０１とを連通して前記磁性玉４００を転動走行自在に設ける。【００１９】玉落ち込み路３００の球収容部３０２には、磁性玉４００の磁着保持用の永久磁石５００と照明器具の点灯用スイッチ６００を設ける。【００２０】永久磁石５００は、球収容部３０２において、磁性玉４００の落下や地震の振動力の衝撃に対して磁性玉４００の磁着保持を確実に維持すること、及び板バネ式の挟みスイッチを好ましくは磁性材にしておけば磁性玉と板バネ式の挟みスイッチとの圧着力を高め低電圧においても確実に接触し導電を確実にする。
永久磁石５００の形状等の例については、円盤状また角盤状に形成し、本例では中央部に突き出し棒用の挿入穴５０１を形成し、その周囲に磁着用円座５０２を形成して磁着面を増大し、穴明き磁石固定蓋７００で球収容部３０２に装着固定してある。永久磁石５００の形状は円盤状また角盤状に限らず、磁性玉４００の球面に対する磁着面を平面や凹球面にしてよく又一対の棒磁石を平行に配置したものでもよく、形状構造を特段に限定するものではない。【００２１】  点灯用スイッチ６００例は、導電性材の板バネ式の挟みスイッチであり、一対の板バネ６０１，６０２とこれに接続した通電用のリード線６１０、６２０からなる。板バネ６０１，６０２の表面は低電圧の乾電池使用および磁性玉との接触があるため金、銀などの導電性と耐酸化性の良い金属メッキ処理等を施したものが好ましい。【００２２】一対の板バネ６０１，６０２は、上端部のアンカー６０１−１、６０２−１を球収容部３０２の上下内壁に埋設支持し下端つまり永久磁石５００側をフリーにして図３に示すように磁性玉４００が落ち込んだ際の拡張と、図２に示すように磁性玉４００を元に戻した際の収縮復元が可能に配置している。【００２３】リード線６１０、６２０は、当該アンカー６０１−１、６０２−１に接続し、一方６１０を時計の時計用電池４のプラス電極に接続し、他方６２０をＬＥＤランプ３のプラス電極に接続する。ＬＥＤランプ３のマイナス極は電池４のマイナス極に接続してある。【００２４】  そこで、球登り走行路２００は、通常は図２に示すように球収容部２０１に磁性玉４００を収容セットしておき地震が発生するとそのＸ方向Ｙ方向、Ｚ方向の振動と傾斜カーブ部２０３の傾斜カーブのガイド作用とにより磁性玉４００を球収容部２０２から飛び出させ、傾斜カーブ部２０３を転動走行させて登らせるが、ある大きさ以上の震度に対して磁性玉４００を頂部２０１から玉落ち込み路３００の頂部３０１に移動させ玉落ち込み路３００内に落下移動させるものである。【００２５】  玉落ち込み路３００は、頂部３０１に到来した磁性玉４００を永久磁石５００で誘引して球収容部３０２内に傾斜落下させて点灯用スイッチ６００をＯＮ作動させその非常灯のＬＥＤランプ３を点灯させる一方永久磁石５００で磁性玉４００を磁着して球収容部３０２内に保留し点灯用スイッチ６００のＯＮ作動を確実に継続維持させるものである。【０００２６】  地震が無くなり安全が確認されれば、玉落ち込み路３００の球収容部３０２内に保留された磁性玉４００は磁性玉４００を球収容部３０２内から球登り走行路２００の球収容部２０１内に移動させる。
この磁性玉４００の移動手段は、球収容部３０２の側部に細長の切り欠き溝３０３を貫通成形し、この切り欠き溝３０３から球収容部３０２内の磁性玉４００と永久磁石５００との間に磁着解除棒を差し込んで磁着状態を解除し、その後、磁着解除棒を溝に沿い斜め上に移動させて磁性玉４００を球収容部３０２から球登り走行路２００内に移動させその球収容部２０１内に静置させ次の感振体制に置くものである。この例の場合は、永久磁石５００の中央部に挿入穴５０１を設ける必要はない。
他の例として、永久磁石５００の中央部に挿入穴５０１設けこの穴から磁着解除棒を挿入して磁性玉４００の磁着状態を解除し更に挿入して斜め上方に移動させて玉落ち込み路３００の頂部３０１から球登り走行路２００内に移動させてもよい。
【産業上の利用可能性】
【００２７】  本考案は、前述した優れた作用効果を呈するため、使用する一般家庭においてあるいはオフィスにおいて適所に採用して、夜間の地震発生時の照明を直ちに確保して人々の安心安全を保障するもので社会に多大な貢献をもたらすものである。
【符号の説明】
【００２８】Ｔ：壁掛け用の照明時計
１：感振点灯スイッチ
２：文字盤
３：ＬＥＤランプ
４：時計と兼用の電池
１００：躯体
２００：球登り走行路
２０１：球登り走行路の頂部
２０２：球登り走行路の球収容部
２０３：球登り走行路の傾斜カーブ部
３００：玉落ち込み路
３０１：玉落ち込み路の頂部
３０２：玉落ち込み路の球収容部
４００：磁性玉
５００：永久磁石
５０１：突き出し棒の挿入穴
５０２：磁着用円座
６００：点灯用スイッチ
６０１，６０２：板バネ
６０１−１、６０２−１：アンカー
６１０、６２０：リード線
７００：穴明き磁石固定蓋
【図１】
0003180420.tif 000003
【図２】
0003180420.tif 000004
【図３】
0003180420.tif 000005
【図４】
0003180420.tif 000006